(57)【要約】【課題】電線を結線する時に電線から取り外す必要がなく、回収する必要もない、より利便性の高い電線絶縁保護キャップを提供する。【解決手段】電線絶縁保護キャップ１０は、電線（Ｗ）の被覆部（Ｗ１）の一部をはがした先端の芯線部（Ｗ２）を絶縁保護する電線絶縁保護キャップ１０であって、電線（Ｗ）の被覆部（Ｗ１）および芯線部（Ｗ２）が進入可能な筒状に構成された胴体部１１と、胴体部１１の軸方向一方端に向かって電線（Ｗ）を圧入することにより電線（Ｗ）が貫通可能な底部１４（脆弱部）とが設けられている。【選択図】図１
2018183030.tif 000002
【特許請求の範囲】
【請求項１】
電線の被覆部の一部をはがした先端の芯線部を絶縁保護する電線絶縁保護キャップであって、
前記電線の被覆部および芯線部が進入可能な筒状に構成された胴体部と、
前記胴体部の軸方向一方端に向かって前記電線を圧入することにより前記電線が貫通可能な脆弱部と、
が設けられている電線絶縁保護キャップ。
【請求項２】
請求項１に記載の電線絶縁保護キャップであって、
前記脆弱部は、前記胴体部の前記軸方向一方端を閉鎖する底部として構成され、
前記底部の厚みが前記胴体部の周壁の厚みより薄い関係にある電線絶縁保護キャップ。
【請求項３】
請求項１または請求項２に記載の電線絶縁保護キャップであって、
前記胴体部の内壁面から内側に突出し、前記被覆部を前記胴体部の径方向内側に押圧して前記電線を保持する突出部を有する電線絶縁保護キャップ。
【請求項４】
請求項３に記載の電線絶縁保護キャップであって、
前記突出部は、前記胴体部における軸方向断面で視て、
前記胴体部の最も前記径方向内側の位置にある頂点部と、
前記頂点部から前記胴体部の前記軸方向一方に向かうにつれて前記胴体部の前記径方向外側に次第に傾斜する第１の傾斜面部と、
前記頂点部から前記胴体部の前記軸方向他方に向かうにつれて前記胴体部の前記径方向外側に次第に傾斜する第２の傾斜面部と、を備え、
前記第１の傾斜面部の勾配が、前記第２の傾斜面部の勾配よりも小さい関係にある電線絶縁保護キャップ。
【請求項５】
請求項３または請求項４に記載の電線絶縁保護キャップであって、
前記突出部は、前記胴体部の前記内壁面において、間隔を開けて複数配設される電線絶縁保護キャップ。
【請求項６】
請求項３から請求項５のいずれか１項に記載の電線絶縁保護キャップであって、
前記突出部は、前記胴体部の前記内壁面において、周方向に隣接して配設される電線絶縁保護キャップ。
【請求項７】
請求項３または請求項４に記載の電線絶縁保護キャップであって、
前記突出部は、前記胴体部の前記内壁面において、周方向に連続する環状に構成される電線絶縁保護キャップ。
【請求項８】
請求項１から請求項７のいずれか１項に記載の電線絶縁保護キャップであって、
前記胴体部の前記軸方向一方端は、外周面に環状の厚肉部を有する電線絶縁保護キャップ。
【発明の詳細な説明】
【技術分野】
【０００１】
本発明は、電線の先端を絶縁保護する電線の絶縁保護キャップに関する。
【背景技術】
【０００２】
建物の電気配線工事では、電線の先端の被覆（シース）をはがして芯線をむき出しにする作業がある。そして、むき出しの芯線による感電やショートを防ぐために、むき出しの芯線をビニル絶縁テープやキャップで覆うことで芯線を絶縁保護することが行われている。
【０００３】
ビニル絶縁テープを使用した場合、絶縁保護している電線を配線するためにビニル絶縁テープを電線からはがすと、ビニル絶縁テープの粘着剤の一部が芯線の表面に付着したまま残ることがある。そして、ビニル絶縁テープの粘着剤は電気絶縁性をもつため、芯線に付着した粘着剤を芯線から除去する作業が必要となる。従って、ビニル絶縁テープを用いると、芯線から粘着剤を除去する作業により、作業が煩雑になる虞がある。また、電線からはがしたビニル絶縁テープを廃棄する煩雑さもある。これに対して、キャップは（例えば、特許文献１）、ビニル絶縁テープの様に、電線から取り外した時に粘着剤を除去する必要がない。
【先行技術文献】
【特許文献】
【０００４】
【特許文献１】実開平６−７４０３５号公報
【発明の概要】
【発明が解決しようとする課題】
【０００５】
しかし、特許文献１のキャップは、装着された電線を結線する時に、電線から取り外す必要や、取り外したキャップを回収する必要があり、より利便性の高いキャップが望まれていた。
【０００６】
本発明はこの様な点に鑑みて創案されたものであり、本発明が解決しようとする課題は、電線を結線する時に電線から取り外す必要がなく、回収する必要もない、より利便性の高い電線絶縁保護キャップを提供することにある。
【課題を解決するための手段】
【０００７】
本発明の一つの特徴によると、電線絶縁保護キャップは、電線の被覆部の一部をはがした先端の芯線部を絶縁保護する電線絶縁保護キャップであって、前記電線の被覆部および芯線部が進入可能な筒状に構成された胴体部と、前記胴体部の軸方向一方端に向かって前記電線を圧入することにより前記電線が貫通可能な脆弱部とが設けられている。
【０００８】
電線絶縁保護キャップは、筒状に構成された胴体部が設けられており、胴体部の内部空間に電線を収容し、電線の先端を覆うことで絶縁保護する。ここで、電線の先端は、被覆部がはがされ、導体で構成された芯線部がむき出しになっている。そして、電線の先端をターミナル等と結線する時には、電線の先端の芯線部が露出されている必要がある。従来の電線保護キャップは、電線の先端の芯線部を露出させるために、電線から外し、回収する必要がある。一方、本発明の上述した特徴を備える電線絶縁保護キャップは、胴体部の軸方向一方端に向かって電線を圧入することにより電線が貫通可能な脆弱部が設けられている。このため、電線絶縁保護キャップは、胴体部の軸方向一方端に向かって電線を圧入することにより、脆弱部を電線で貫通し得る。そして、脆弱部を電線が貫通した場合、芯線部は、脆弱部から露出しており、芯線部の露出した部分でターミナル等と結線し得る。従って、電線絶縁保護キャップは、装着された電線を結線する時に、電線から取り外す必要がなく、回収する必要もないため、利便性が高い。
【０００９】
また、上述した様に、電線の先端は被覆部の一部がはがされており、電気伝導性を有する芯線部がむき出しになっている。このため、電線の先端周辺は、絶縁性を高めて絶縁保護することが望ましい。また、電線が折り曲げられる部分や、電線が側面から圧迫される部分などは、比較的損傷を受けやすい部分であるので、絶縁性を高めて絶縁保護することが望ましい。ここで、結線した後、電線絶縁保護キャップは、脆弱部で電線が貫通した状態になっているため、電線上を容易に移動させ得る。このため、電線絶縁保護キャップは、電線において絶縁性を高めて絶縁保護することが望ましい部分を覆うように、電線上を移動させることで、電線において絶縁性を高めて絶縁保護することが望ましい部分を、絶縁性を高めて絶縁保護し得る。以上の様に、電線絶縁保護キャップは、装着された電線を結線する時に、電線から取り外す必要がなく、回収する必要もないため、より利便性が高い。また、電線絶縁保護キャップは、電線を結線した後、電線において絶縁性を高めて絶縁保護することが望ましい部分を覆うように、電線上を移動させることで、電線において絶縁性を高めて絶縁保護することが望ましい部分を、絶縁性を高めて絶縁保護し得る。
【００１０】
次に、他の特徴によると、上記電線絶縁保護キャップにおいて、前記脆弱部は、前記胴体部の前記軸方向一方端を閉鎖する底部として構成され、前記底部の厚みが前記胴体部の周壁の厚みより薄い関係にあることが好ましい。従って、脆弱部は、胴体部の底部に向かって電線を圧入することにより、より一層貫通可能となる。その結果、電線絶縁保護キャップは、装着された電線を結線する時に、より一層電線から取り外す必要がなく、より一層回収する必要もないため、利便性がより一層高い。
【００１１】
次に、他の特徴によると、上記電線絶縁保護キャップにおいて、前記胴体部の内壁面から内側に突出し、前記被覆部を前記胴体部の径方向に押圧して前記電線を保持する突出部を有することが好ましい。従って、電線絶縁保護キャップが取り付けられた電線は、電線絶縁保護キャップの胴体部に電線先端が収納されており、突出部により押圧されて保持されるため、電線絶縁保護キャップが電線から脱落することを抑止し得る。
【００１２】
次に、他の特徴によると、上記電線絶縁保護キャップにおいて、前記突出部は、前記胴体部の前記内壁面において、間隔を開けて複数配設されることが好ましい。従って、電線絶縁保護キャップが取り付けられた電線は、電線絶縁保護キャップの胴体部に電線先端が収納されており、突出部によってより一層保持されるため、電線絶縁保護キャップが電線から脱落することをより一層抑止し得る。
【００１３】
次に、他の特徴によると、上記電線絶縁保護キャップにおいて、前記突出部は、前記胴体部の前記内壁面において、周方向に隣接して配設されることが好ましい。従って、電線絶縁保護キャップが取り付けられた電線は、電線絶縁保護キャップの胴体部に電線先端が収納されており、突出部によってより一層保持されるため、電線絶縁保護キャップが電線から脱落することをより一層抑止し得る。
【００１４】
次に、他の特徴によると、上記電線絶縁保護キャップにおいて、前記突出部は、前記胴体部の前記内壁面において、周方向に連続する環状に構成されることが好ましい。従って、電線絶縁保護キャップが取り付けられた電線は、電線絶縁保護キャップの胴体部に電線先端が収納されており、突出部によってより一層保持されるため、電線絶縁保護キャップが電線から脱落することをより一層抑止し得る。
【００１５】
次に、他の特徴によると、上記電線絶縁保護キャップにおいて、前記胴体部の先端は、外周面に環状の厚肉部を有することが好ましい。前述した様に、電線絶縁保護キャップを装着した電線をターミナル等と結線する時には、胴体部の軸方向一方端に向かって電線を圧入し、脆弱部を芯線部で貫通させることで、電線絶縁保護キャップから芯線部を露出させる。ここで、電線絶縁保護キャップは、胴体部の先端に、外周面に環状の厚肉部を有する。厚肉部は、先端側の底部外周を囲む様に配置されており、厚肉なため、容易に保持し得る。従って、厚肉部を保持することで、脆弱部は、厚肉部を介して容易に保持し得る。そこで、厚肉部を保持し、胴体部の軸方向一方端に向かって電線を圧入すれば、脆弱部を芯線で容易に貫通させ得る。そして、脆弱部を貫通した芯線は、ターミナル等と結線し得る。以上の様に、胴体部の先端が、外周面に環状の厚肉部を有することで、脆弱部を芯線で貫通することを一層容易にし得る。
【００１６】
次に、他の特徴によると、上記電線絶縁保護キャップにおいて、前記突出部は、前記胴体部における軸方向断面で視て、前記胴体部の最も前記径方向内側の位置にある頂点部と、前記頂点部から前記胴体部の前記軸方向一方に向かうにつれて前記胴体部の前記径方向外側に次第に傾斜する第１の傾斜面部と、前記頂点部から前記胴体部の前記軸方向他方に向かうにつれて前記胴体部の前記径方向外側に次第に傾斜する第２の傾斜面部と、を備え、前記第１の傾斜面部の勾配が、前記第２の傾斜面部の勾配よりも小さい関係にあることが好ましい。
【００１７】
電線を保持するために、突出部が頂点部周辺で押圧するのは、電線の被覆部であって、被覆部よりも径の小さい芯線部ではない。胴体部の軸方向において、底部から突出部の頂点部にかけての長さよりも、電線の先端部でむき出しになっている芯線部の軸方向の長さが短い場合には、電線の芯線部の先端を電線絶縁保護キャップの底部に接触する程度に電線を電線絶縁保護キャップに挿入すれば、突出部が電線の被覆部を押圧して保持できる。これに対して、底部から突出部の頂点部にかけての長さよりも、むき出しになっている芯線部の軸方向の長さが長い場合には、電線の芯線部の先端を電線絶縁保護キャップの底部に接触する程度に挿入しても突出部が被覆部を押圧し得ないため、突出部は電線を保持し得ない。
【００１８】
従って、突出部が電線の被覆部を保持するために、電線の先端でむき出しになっている芯線部の軸方向の長さが、胴体部の軸方向において、底部から突出部の頂点部にかけての長さよりも短い必要がある。そして、胴体部の軸方向について、突出部の頂点部の位置が胴体部の開口側（他方向側）にあるほど、底部から突出部の頂点部にかけての長さが長くなり、電線の先端部でむき出しになっている芯線部の軸方向の長さがより長い電線に対しても突出部が保持しうる。
【００１９】
ここで、頂点部から底部側（軸方向一方側）の第１の傾斜面部の勾配は、開口側（軸方向他方側）の第２の傾斜面部の勾配よりも小さい。従って、胴体部の軸方向において、底部側（軸方向一方側）の第１の傾斜面部の長さは、開口側（軸方向他方側）の第２の傾斜面部の長さよりも長いため、頂点部の位置は、胴体部の開口側（軸方向他方側）に位置することができる。このため、底部から突出部の頂点部にかけての長さを長く確保でき、電線の先端でむき出しになっている芯線部の軸方向の長さが比較的長い電線に対しても突出部が被覆部を押圧して保持し得る。従って、電線絶縁保護キャップは、電線の先端でむき出しになっている芯線部の軸方向の長さが比較的長い電線に対しても装着でき、利便性がより一層高い。
【００２０】
また、突出部は、電線絶縁保護キャップに収納された電線の被覆部を押圧することで電線を保持する。突出部の最も径方向内側の位置にある頂点部周辺では、電線の被覆部を押圧する。そして、第１の傾斜面部の勾配は、第２の傾斜面部の勾配よりも小さいため、第１の傾斜面部で被覆部に接触する部分の面積は、第２の傾斜面部で被覆部に接触する部分の面積よりも大きい。換言すれば、第１の傾斜面部の勾配を小さく設定したことで、第１の傾斜面部で被覆部に接触する部分の面積をより一層大きくし得、その結果、突出部と被覆部との摩擦をより一層大きくし得る。このため、電線絶縁保護キャップが電線から脱落することをより一層抑止し得る。
【発明の効果】
【００２１】
本発明の電線絶縁保護キャップは、上記の各発明の構成をもつことにより、装着された電線を結線する時に、電線から取り外す必要がなく、回収する必要もない、より利便性が高い電線絶縁保護キャップを提供することができる。
【図面の簡単な説明】
【００２２】
【図１】実施形態の電線絶縁保護キャップ１０の斜視図である。
【図２】実施形態の電線絶縁保護キャップ１０の胴体部１１の断面図である。
【図３】使用前の実施形態の電線絶縁保護キャップ１０の模式図である。
【図４】電線Ｗに取り付けられた実施形態の電線絶縁保護キャップ１０の模式図である。
【図５】電線Ｗを結線するために、電線Ｗを先端から露出させた、実施形態の電線絶縁保護キャップ１０の模式図である。
【図６】結線された電線Ｗに取り付けられた、実施形態の電線絶縁保護キャップ１０の模式図である。
【図７】変形例１の電線絶縁保護キャップ２０の胴体部２１の断面図である。
【図８】変形例２の電線絶縁保護キャップ３０の胴体部３１の断面図である。
【図９】変形例３の電線絶縁保護キャップ４０の胴体部４１の断面図である。
【図１０】変形例４の電線絶縁保護キャップ５０の胴体部５１の断面図である。
【図１１】変形例５の電線絶縁保護キャップ６０の胴体部６１の断面図である。
【図１２】変形例５の電線絶縁保護キャップ６０の胴体部６１の軸方向における部分的な断面図である。
【図１３】変形例６の電線絶縁保護キャップ７０の斜視図である。
【図１４】変形例７の電線絶縁保護キャップ８０の斜視図である。
【図１５】変形例８の電線絶縁保護キャップ９０の斜視図である。
【図１６】変形例９の電線絶縁保護キャップ１００の軸方向の断面図である。
【図１７】変形例１０の電線絶縁保護キャップ１１０の斜視図である。
【図１８】変形例１１の電線絶縁保護キャップ１２０の斜視図である。
【図１９】変形例１２の電線絶縁保護キャップ１３０の斜視図である。
【図２０】変形例１２の電線絶縁保護キャップ１３０の胴体部１３１の断面図である。
【図２１】変形例１３の電線絶縁保護キャップ１４０の胴体部１４１の断面図である。
【図２２】変形例１４の電線絶縁保護キャップ１５０の胴体部１５１の先端の側面図である。
【図２３】変形例１５の電線絶縁保護キャップ１６０の斜視図である。
【図２４】変形例１５の電線絶縁保護キャップ１６０の胴体部１６１の断面図である。
【図２５】変形例１５において、電線Ｗの被覆部Ｗ１を押圧している突出部１６２周辺を拡大した、胴体部１６１の軸方向の模式的な断面図である。
【発明を実施するための形態】
【００２３】
［実施形態］
以下に、本発明を実施するための実施形態について、図１〜６を用いて説明する。本実施形態の電線絶縁保護キャップ１０は、電線Ｗの先端を絶縁保護するために、電線Ｗの先端に取り付ける電線絶縁保護キャップである。また、本実施形態の電線絶縁保護キャップ１０を構成する材料は、軟質塩化ビニルを選択した。電線絶縁保護キャップ１０を構成する材料はこれに限らず、絶縁性および弾性に優れた材料であればよく。絶縁性および弾性に優れた、樹脂や、ゴムや、エラストマー等であればよい。
【００２４】
＜電線絶縁保護キャップ１０の構造について＞
図１は、本実施形態の電線絶縁保護キャップ１０の斜視図が示されている。図１に示される様に、電線絶縁保護キャップ１０は、円筒状の胴体部１１と、胴体部１１の先端（軸方向一方端）に底部１４を有しており、これらは一体に形成されている。また、底部１４と軸方向反対側の端部（軸方向他方端）は、軸方向に開口している。また、図１に示される様に、胴体部１１は、胴体部１１の内壁面から内側（内径方向）に突出する４つの突出部１２を有している。そして、図１に示される様に、突出部１２は、胴体部１１の内壁面上の周１１ｒ上に間隔を開けて設けられている。また、図２には、胴体部１１の周１１ｒを含む断面の断面図が示されている。図２に示される様に、突出部１２は、胴体部１１の内壁面上の周１１ｒ上に間隔を開けて設けられている。さらに、図１に示される様に、胴体部１１は、先端に外周面をとり囲む環状の厚肉部１３を有している。厚肉部１３は、胴体部１１の厚みより厚い関係である。また、胴体部１１が先端に有する底部１４は、胴体部１１の先端側の端を閉鎖している。底部１４の厚みは、胴体部１１の壁面の厚みよりも肉薄となっており、底部１４は、電線Ｗを先端方向に圧入することにより電線Ｗが貫通可能な脆弱部として構成されている。
【００２５】
＜電線絶縁保護キャップ１０の使用について＞
以下、図３〜６には、本実施形態の電線絶縁保護キャップ１０の使用方法が模式的に示されている。図３には、使用前の電線絶縁保護キャップ１０が示されている。図３に示される様に、電線絶縁保護キャップ１０は、胴体部１１（図１参照）の軸方向他方端（すなわち、後端）に開口を有している。電線絶縁保護キャップ１０のこの開口に電線Ｗを挿入し、電線絶縁保護キャップ１０を電線Ｗに取り付ける。また、図３に示される様に、電線Ｗの先端部分は、電線絶縁保護キャップ１０が取り付けられる前に、あらかじめ被覆部Ｗ１を除去し、芯線部Ｗ２をむき出しにする。この様に芯線部Ｗ２をむき出しにしているのは、芯線部Ｗ２を速やかにターミナル等に結線するためである。そして、電線Ｗは、この状態で電線絶縁保護キャップ１０が取り付けられる。
【００２６】
図４には、電線Ｗに取り付けられた電線絶縁保護キャップ１０が模式的に示されている。図４に示されている様に、電線Ｗの先端部分は、電線絶縁保護キャップ１０の胴体部１１の内部空間に収容されており、電線絶縁保護キャップ１０は収容した電線Ｗの先端部分を絶縁保護している。また、図４に示す様に、電線絶縁保護キャップ１０の胴体部１１は、胴体部１１の内壁面から内側に突出する突出部１２を複数有しており、突出部１２は電線Ｗを胴体部１１の径方向に押圧して電線Ｗを保持している。また、図１および図２を用いて前述した様に、突出部１２は、胴体部１１において、４つ設けられている。これらの４つの突出部１２は、内壁面上の周１１ｒ上に電線Ｗを取り囲むように、間隔を開けて設けられている。この様に、突出部１２が電線Ｗを径方向に押圧しているため、電線Ｗと押圧している突出部１２との摩擦は大きい。このため、電線絶縁保護キャップ１０は電線Ｗから外れにくくなっている。すなわち、突出部１２によって、電線絶縁保護キャップ１０は電線Ｗから脱落することが抑止されている。
【００２７】
また、図４に示す状態の電線Ｗをターミナル等と結線する時は、電線Ｗを先端方向（底部１４に向かう方向）に圧入することにより、芯線部Ｗ２で底部１４を貫通させ、電線絶縁保護キャップ１０の底部１４から電線Ｗを露出させた状態（図５参照）にする。そして、露出した芯線部Ｗ２を結線する。ここで、本実施形態の電線絶縁保護キャップ１０は底部１４の厚みが胴体部１１の厚みよりも肉薄なため、底部１４を電線Ｗで貫通させることが可能となっている。そして、以下に説明する様に、本実施形態の電線絶縁保護キャップ１０は、厚肉部１３を有することで、底部１４を貫通させることをより一層容易にしている。
【００２８】
電線絶縁保護キャップ１０は、胴体部１１の先端に、外周面に環状の厚肉部１３を有している（図１および図４を参照）。電線絶縁保護キャップ１０が厚肉部１３を有することで、上述した底部１４を電線Ｗで貫通させることを、より一層容易にしている。すなわち、厚肉部１３は、底部１４の外周を囲む様に配設されており、さらに厚肉なため、容易に保持できる。また、厚肉部１３は、底部１４の外周を囲む様に配置されているため、厚肉部１３を保持すれば、厚肉部１３を介して底部１４を保持できる。従って、保持が容易な厚肉部１３を保持すれば、厚肉部１３を介して底部１４を保持できる。換言すれば、底部１４は、厚肉部１３を保持することで、容易に保持できる。
【００２９】
そこで、厚肉部１３を保持することで、厚肉部１３を介して底部１４を保持し、芯線部Ｗ２で底部１４を圧入すれば、底部１４を電線Ｗで貫通させることは容易である。例えば、厚肉部１３を片手でつまみ、さらに、電線絶縁保護キャップ１０の後端から延伸している電線Ｗの一部をもう一方の手でつまみ、電線Ｗを先端方向に圧入すれば、容易に底部１４を電線Ｗで貫通できる。尚、ここでは厚肉部１３や電線Ｗを手でつまむとしたが、手でつまむ以外にペンチで挟むなど、方法は適宜変更することができる。以上の様に、電線絶縁保護キャップ１０は胴体部１１の先端に外周面に環状の厚肉部１３を有することで、電線絶縁保護キャップ１０の底部１４を電線Ｗで貫通することをより一層容易にしている。また、上述した様に、底部１４を電線Ｗで貫通させると、底部１４から芯線部Ｗ２の先端が露出し、芯線部Ｗ２の露出した部分をターミナル等と結線させることができる。
【００３０】
図５には、電線Ｗが電線絶縁保護キャップ１０の底部１４を貫通した状態が模式的に示されている。この状態では、芯線部Ｗ２が電線絶縁保護キャップ１０から露出しており、芯線部Ｗ２の露出している部分はコネクタやターミナル等と容易に結線できる。電線Ｗを結線した状態の例として、図６には、コネクタＡに結線した電線Ｗが示されている。電線Ｗの先端は被覆部Ｗ１（図３参照）の一部がはがされており、電気伝導性を有する芯線部Ｗ２がむき出しになっている。このため、電線Ｗの先端周辺は、絶縁性を高めて絶縁保護することが望ましい。また、電線Ｗが折り曲げられる部分や、電線Ｗが側面から圧迫される部分などは、比較的損傷を受けやすい部分であるので、絶縁性を高めて絶縁保護することが望ましい。ここで、結線した後、電線絶縁保護キャップ１０は、底部１４（脆弱部）で電線Ｗが貫通した状態になっているため（図５参照）、電線Ｗ上を容易に移動させ得る。このため、電線絶縁保護キャップ１０は、電線Ｗにおいて絶縁性を高めて絶縁保護することが望ましい部分を覆うように、電線Ｗ上を移動させることで、電線Ｗにおいて絶縁性を高めて絶縁保護することが望ましい部分を、絶縁性を高めて絶縁保護し得る。
【００３１】
以上で説明した様に、本実施形態の電線絶縁保護キャップ１０は、以下の様な作用効果を有する。本実施形態の電線絶縁保護キャップ１０は、電線Ｗの被覆部Ｗ１の一部をはがした先端の芯線部Ｗ２を絶縁保護する電線絶縁保護キャップ１０であって、電線Ｗの被覆部Ｗ１および芯線部Ｗ２が進入可能な筒状に構成された胴体部１１と、胴体部１１の軸方向一方端に向かって電線Ｗを圧入することにより電線Ｗが貫通可能な底部１４（脆弱部）と、が設けられている。
【００３２】
電線絶縁保護キャップ１０は、筒状に構成された胴体部１１が設けられており、胴体部１１の内部空間に電線Ｗを収容し、電線Ｗの先端を覆うことで絶縁保護する。ここで、電線Ｗの先端は、被覆部Ｗ１がはがされ、導体で構成された芯線部Ｗ２がむき出しになっている。そして、電線Ｗの先端をターミナル等と結線する時には、電線Ｗの先端の芯線部Ｗ２が露出されている必要がある。従来のキャップは、電線Ｗの先端の芯線部Ｗ２を露出させるために、電線Ｗから外し、回収する必要がある。一方、電線絶縁保護キャップ１０は、胴体部１１の軸方向一方端に向かって電線Ｗを圧入することにより電線Ｗが貫通可能な底部１４（脆弱部）が設けられている。このため、電線絶縁保護キャップ１０は、胴体部１１の軸方向一方端に向かって電線Ｗを圧入することにより、底部１４（脆弱部）を電線Ｗで貫通し得る。そして、底部１４を電線Ｗが貫通した場合、芯線部Ｗ２は、底部１４から露出しており、芯線部Ｗ２の露出した部分でターミナル等と結線し得る。従って、電線絶縁保護キャップ１０は、装着された電線Ｗを結線する時に、電線Ｗから取り外す必要がなく、回収する必要もないため、利便性が高い。
【００３３】
また、上述した様に、電線Ｗの先端は被覆部Ｗ１の一部がはがされており、電気伝導性を有する芯線部Ｗ２がむき出しになっている。このため、電線Ｗの先端周辺は、絶縁性を高めて絶縁保護することが望ましい。また、電線Ｗが折り曲げられる部分や、電線Ｗが側面から圧迫される部分などは、比較的損傷を受けやすい部分であるので、絶縁性を高めて絶縁保護することが望ましい。ここで、結線した後、電線絶縁保護キャップ１０は、底部１４（脆弱部）で電線Ｗが貫通した状態になっているため、電線Ｗ上を容易に移動させ得る。このため、電線絶縁保護キャップ１０は、電線Ｗにおいて絶縁性を高めて絶縁保護することが望ましい部分を覆うように、電線Ｗ上を移動させることで、電線Ｗにおいて絶縁性を高めて絶縁保護することが望ましい部分を、絶縁性を高めて絶縁保護し得る。以上の様に、電線絶縁保護キャップ１０は、装着された電線Ｗを結線する時に、電線Ｗから取り外す必要がなく、回収する必要もないため、より利便性が高い。また、電線絶縁保護キャップ１０は、電線Ｗを結線した後、電線Ｗにおいて絶縁性を高めて絶縁保護することが望ましい部分を覆うように、電線Ｗ上を移動させることで、電線Ｗにおいて絶縁性を高めて絶縁保護することが望ましい部分を、絶縁性を高めて絶縁保護し得る。
【００３４】
また、電線絶縁保護キャップ１０の底部１４（脆弱部）は、胴体部１１の軸方向一方端を閉鎖する底部１４として構成され、底部１４の厚みが胴体部１１の周壁の厚みより薄い関係にある。従って、底部１４（脆弱部）は、胴体部１１の底部１４に向かって電線Ｗを圧入することにより、より一層貫通可能となる。その結果、電線絶縁保護キャップ１０は、装着された電線Ｗを結線する時に、より一層電線Ｗから取り外す必要がなく、より一層回収する必要もないため、利便性がより一層高い。
【００３５】
また、電線絶縁保護キャップ１０は、胴体部１１の内壁面から内側に突出し、被覆部Ｗ１を胴体部１１の径方向に押圧して電線Ｗを保持する突出部１２を有する。従って、電線絶縁保護キャップ１０が取り付けられた電線Ｗは、電線絶縁保護キャップ１０の胴体部１１に電線Ｗ先端が収納されており、突出部１２により押圧されて保持されるため、電線絶縁保護キャップ１０が電線Ｗから脱落することを抑止し得る。
【００３６】
また、突出部１２は、胴体部１１の内壁面において、間隔を開けて複数配設される。従って、電線絶縁保護キャップ１０が取り付けられた電線Ｗは、電線絶縁保護キャップ１０の胴体部１１に電線Ｗ先端が収納されており、突出部１２によってより一層保持されるため、電線絶縁保護キャップ１０が電線Ｗから脱落することをより一層抑止し得る。
【００３７】
また、胴体部１１の先端は、外周面に環状の厚肉部１３を有する。前述した様に、電線絶縁保護キャップ１０を装着した電線Ｗをターミナル等と結線する時には、胴体部１１の軸方向一方端に向かって電線Ｗを圧入し、底部１４（脆弱部）を芯線部Ｗ２で貫通させることで、電線絶縁保護キャップ１０から芯線部Ｗ２を露出させる。ここで、電線絶縁保護キャップ１０は、胴体部１１の先端に、外周面に環状の厚肉部１３を有する。厚肉部１３は、先端側の底部１４外周を囲む様に配置されており、厚肉なため、容易に保持し得る。従って、厚肉部１３を保持することで、底部１４は、厚肉部１３を介して容易に保持し得る。そこで、厚肉部１３を保持し、胴体部１１の軸方向一方端に向かって電線Ｗを圧入すれば、底部１４を芯線部Ｗ２で容易に貫通させ得る。そして、底部１４を貫通した部分の芯線部Ｗ２は、ターミナル等と結線し得る。以上の様に、胴体部１１の先端が、外周面に環状の厚肉部１３を有することで、底部１４を芯線部Ｗ２で貫通することを一層容易にし得る。
【００３８】
［変形例１：図７］
本変形例を含めた以降の変形例で、上述した実施形態と同様の構成については詳細な説明を省略する。上述した実施形態の電線絶縁保護キャップ１０では、図１の斜視図および図２の断面図に示される様に、胴体部１１において、内壁面上の周１１ｒ上に間隔を開けて４つの突出部が設けられている。しかし、突出部の位置や形状や数は、これに限らず、適宜変更できる。
【００３９】
図７は、図２と同様の断面図で、本変形例の胴体部２１において、胴体部２１の内壁面上の周２１ｒを含む断面の断面図である。本変形例では、突出部２２を、胴体部２１の内壁面上にある周２１ｒ上に、周方向に隣接して複数配設した。
【００４０】
また、突出部２２は、胴体部２１の内壁面において、周方向に隣接して配設される。従って、電線絶縁保護キャップ２０が取り付けられた電線Ｗは、電線絶縁保護キャップ２０の胴体部２１に電線先端が収納されており、突出部２２によってより一層保持されるため、電線絶縁保護キャップ２０が電線Ｗから脱落することをより一層抑止し得る。
【００４１】
［変形例２：図８］
図８は、図７と同様の断面図である。本変形例の電線絶縁保護キャップ３０は、胴体部３１において、胴体部３１の内壁面上の周３１ｒを含む。変形例１では、突出部２２は周方向に隣接して配設されるが、本変形例では、突出部３２は、図８に断面図が示される様に、変形例１の突出部２２を、周３１ｒ上で周方向に延ばした形状である。
【００４２】
［変形例３：図９］
電線絶縁保護キャップ４０の突出部４２の形状は、図８を用いて上述した変形例２の突出部３２よりも、さらに周方向に延びた形状であってもよい。図９は、図８と同様の断面図で、本変形例の胴体部４１において、胴体部４１の内壁面上の周４１ｒを含む断面の断面図である。
【００４３】
［変形例４：図１０］
突出部は、変形例３の突出部４２よりもさらに、周方向に延びた形状にしてもよい。図１０は、図９と同様の断面図で、本変形例の胴体部５１において、胴体部５１の内壁面上の周５１ｒを含む断面の断面図である。図１０に示される様に、本変形例の突出部５２は、変形例３の突出部４２よりもさらに周方向に延びた形状である。図１０に断面図が示されている様に、本変形例では突出部５２が、周方向に連続する環状に構成されている。
【００４４】
また、図１０に示されている様に、突出部５２は、周方向に連続する環状に構成されている。従って、これらの構成によって、電線絶縁保護キャップ５０の胴体部５１に電線先端が収納された電線Ｗは、突出部５２によってより一層保持されるため、電線絶縁保護キャップ５０が電線Ｗから脱落することをより一層抑止し得る。
【００４５】
［変形例５：図１１および図１２］
次に電線絶縁保護キャップ６０について説明する。図１１は、図１０と同様の断面図で、本変形例の胴体部６１において、胴体部６１の内壁面上の周６１ｒを含む断面の断面図である。図１１に示される様に、本変形例の突出部６２は、変形例４の突出部５２よりもさらに周方向に延びた、周方向に一周する形状である。また、図１２は部分的な断面図で、胴体部６１の突出部６２が設けられている部分の軸方向の断面図である。図１２に示される様に、本変形例の突出部６２も、上述した実施形態や変形例１〜４と同様に、胴体部の中心方向に先細りの形状である。さらに、本変形例の突出部６２の様に、突出部が周方向に一周する構成もつ場合は、突出部は胴体部と別体として構成しても良い。
【００４６】
［変形例６：図１３］
上述した実施形態および変形例１〜５では、図１２に示される様に、突出部は、胴体部の中心方向に先細りの形状である。突出部の断面形状は、胴体部の中心方向に先細りの形状でなくとも良い。図１３には、変形例６の電線絶縁保護キャップ７０の斜視図が示されている。図１３に示されている様に、本変形例では突出部７２は、胴体部７１の内壁面上に、帯状に配設されている。また、変形例５で上述した様に、周方向に一周する突出部７２も胴体部７１と別体として構成しても良い。
【００４７】
［変形例７：図１４］
上述した実施形態および変形例では、突出部は、胴体部の周方向に複数並んで配設された例（実施形態、変形例１〜３）や、胴体部の周方向に延びた形状の例（変形例２〜６）が挙げられており、これらは突出部の周方向に関する配設が異なる例である。しかし、突出部の並ぶ方向や、延びる方向は、周方向に限らなくともよい。また、大きさの異なる複数の突出部が胴体部に設けられても良い。
【００４８】
図１４には、変形例７の電線絶縁保護キャップ８０の斜視図が示されている。図１４に示されている様に、本変形例では、突出部８２は、胴体部８１の内壁面上で軸方向の位置が異なる周８１ｒ１上および、周８１ｒ２上に複数設けられている。さらに、本変形例では、先端側の周８１ｒ１上の突出部８２は、周８１ｒ２上の突出部８２よりも小さく構成されており、突出部８２は、周８１ｒ１上のものと周８１ｒ２上のものとで大きさが異なっている。この様に、突出部は、同一の大きさでなくともよく、異なる大きさの突出部が設けられても良い。
【００４９】
［変形例８：図１５］
図１５には、変形例８の電線絶縁保護キャップ９０の斜視図が示されている。図１５に示されている様に、突出部９２は、胴体部９１の内壁面上で、軸方向に延伸する螺旋９１ｓ上に配設されている。ここで、突出部９２は３つ設けられているが、これに限らず３つ以下でも、３つ以上でもよい。さらに、本変形例の電線絶縁保護キャップ９０では、厚肉部が設けられていない。上述した実施形態や変形例１〜７では、胴体部の先端の外周面に環状の厚肉部を有しているが、本変形例の様に、電線絶縁保護キャップは厚肉部を有さなくともよい。
【００５０】
［変形例９：図１６］
上述した実施形態や変形例１〜８では、胴体部の形状が円柱状であった。しかし、胴体部の形状は、筒状であればよく、円柱状に限らなくともよい。図１６には、変形例９の電線絶縁保護キャップ１００の軸方向の断面図が示されている。図１６に示されている様に、本変形例の電線絶縁保護キャップ１００では、胴体部１０１がテーパ状の形状である。また、本変形例の電線絶縁保護キャップ１００も上述した実施形態や変形例１〜８と同様に、材料に絶縁性および弾性に優れた軟質塩化ビニルを選択した。このため、本変形例の胴体部１０１も弾性に優れている。従って、本変形例の電線絶縁保護キャップ１００の胴体部１０１の後端側の開口の直径よりも直径が小さい電線Ｗで、かつ、電線Ｗの直径が胴体部の先端の底部の直径よりも大きければ、電線Ｗを胴体部１０１内部に進入させた場合、電線Ｗを胴体部１０１の内壁面に密着させることで、電線Ｗを保持し得る。尚、胴体部の形状は、筒状でありさえすればよいので、胴体部は、軸方向に向かって一部が膨らんだ形状であっても良い。
【００５１】
［変形例１０：図１７］
上述した実施形態や変形例では、電線絶縁保護キャップの胴体部は、断面が円で、円柱状や、テーパ状であった。胴体部は、断面が楕円の楕円柱状や、断面が楕円でテーパ状であっても良い。そして、電線絶縁保護キャップの胴体部の形状は、筒状であればよく、断面が、三角柱状、四角柱状、五角柱状、六角柱状等、多角形の多角柱状であっても良い。
【００５２】
図１７には、変形例１０の電線絶縁保護キャップ１１０の斜視図が示されている。図１７に示されている様に、本変形例の電線絶縁保護キャップ１１０では、胴体部１１１の形状が四角柱状である。この様に、胴体部は、断面が四角形の四角柱状にすることができ、例えば、断面が、平行四辺形や、ひし形や、長方形や、正方形等の四角柱状にすることができる。
【００５３】
［変形例１１：図１８］
図１８には、変形例１１の電線絶縁保護キャップ１２０の斜視図が示されている。図１８に示されている様に、本変形例の電線絶縁保護キャップ１２０では、胴体部１２１の形状は、断面が長方形の四角柱状である。本変形例の電線絶縁保護キャップ１２０は、この様に胴体部１２１を断面が長方形の四角柱状にすることで、平形の電線Ｗに一層容易に取り付けることができる。
【００５４】
［変形例１２：図１９および図２０］
上述した変形例１０および変形例１１では、胴体部の形状は四角柱状であった。図１９には、変形例１２の電線絶縁保護キャップ１３０の斜視図が示されている。図１９に示されている様に、本変形例の電線絶縁保護キャップ１３０では、胴体部１３１の形状は、三角柱状である。また、胴体部１３１の内壁面には、周１３１ｒ上においてそれぞれ径方向内方に向かって突出する突出部１３２が設けられている。図２０は、本変形例の電線絶縁保護キャップ１３０の胴体部１３１の内部空間に、電線Ｗを収納した様子が例示されている。図２０に示されている様に、胴体部１３１の内部空間に収容される電線Ｗ（すなわち、電線絶縁保護キャップ１３０を取り付ける電線Ｗ）の径は、胴体部１３１断面の三角形における内接円の径よりも大きければ、電線Ｗは、胴体部１３１の内壁面によって電線Ｗの径方向に押圧され得る。従って、本変形例の様に、特に胴体部が多角形状である場合、胴体部の壁面は、突出部と同様に電線Ｗを押圧して保持し得るため、突出部を設けなくてもよい。すなわち、本変形例では胴体部１３１はその断面が三角形状であり、内壁面で平面上の面が電線と接触するため、突出部１３２を設けなくとも胴体部１３１の内壁面が電線を押圧し得る。そして、断面が多角形の胴体部であれば、同様に内壁面が電線Ｗを押圧し得る。従って、上述した変形例１０〜１２の電線絶縁保護キャップ１１０〜１３０も含めて、胴体部が多角柱状の電線絶縁保護キャップであれば、突出部を設けなくともよい。この場合、電線絶縁保護キャップの胴体部は、突出部と同様の作用効果を備え得、電線絶縁保護キャップが電線Ｗ（図３参照）から脱落することは抑止され得る。以上では、胴体部の形状が多角柱状の場合、突出部を設けなくともよいとしたが、言うまでもなく、これに限らず、胴体部の形状が多角柱状でなくとも、必ずしも突出部を設けなくともよい。
【００５５】
［変形例１３：図２１］
上述した変形例１２の電線絶縁保護キャップ１３０では、胴体部は、断面が三角形の三角柱状であった（図１９および図２０参照）。しかし、胴体部の形状は筒状であれば良く、胴体部の形状は、断面が円形や多角形となる形状に限られない。変形例１３の電線絶縁保護キャップ１４０では、胴体部１４１の断面形状が、図２１（ａ）に示されている。図２１（ａ）に示されている様に、本変形例では、胴体部１４１の断面を、各辺が内側に凹んだ略三角形状とした。そして、本変形例では、突出部は設けられていないが、突出部を設けても良い。
【００５６】
本変形例の電線絶縁保護キャップ１４０は、胴体部１４１の断面形状をこのような形状に構成することで、本変形例の電線絶縁保護キャップ１４０は、様々な直径の電線Ｗに対して用いることができる。すなわち、図２１（ａ）に示される胴体部１４１の断面において、３辺に内接する円１４１ｒよりも径が太い電線Ｗに対して、本変形例の電線絶縁保護キャップ１４０を容易に取り付けることができる。図２１（ｂ）〜図２１（ｄ）には、径の異なる電線Ｗに対して取り付けられた本変形例の電線絶縁保護キャップ１４０の、胴体部の断面図が例示されている。ここで、本変形例では、胴体部１４１の断面を、各辺が内側に凹んだ略三角形状とした。三辺に内接する円の直径は、三角形よりも、各辺が内側に凹んだ略三角形の方が小さい。その結果、本変形例の胴体部１４１の内壁面は、より小さい直径の電線Ｗに対しても密着して押圧し得る。すなわち、本変形例の電線絶縁保護キャップ１４０は、胴体部１４１の断面を、各辺が内側に凹んだ略三角形状とすることで、断面が三角形の胴体部を備える電線絶縁保護キャップよりも、より小さい直径の電線Ｗに対しても、電線絶縁保護キャップ１４０が電線Ｗ（図３参照）から脱落することを抑止し得る。
【００５７】
また、本変形例の胴体部１４１は、図２１（ａ）に示される様に、断面を、各辺が内側に凹んだ略三角形状とした。胴体部が多角形状に構成された変形例１０〜１１の電線絶縁保護キャップの胴体部の形状にも適応でき、胴体部の断面は、略三角形状以外にも、各辺が内側に凹んだ略多角形状としてもよい。
【００５８】
［変形例１４：図２２］
変形例１４では、電線絶縁保護キャップ１５０の胴体部１５１の形状は、先端部分が変形例１３の胴体部１４１と異なっているものの、他の形状は、変形例１３と同様である。図２２には、変形例１４の胴体部１５１の先端の側面図が示されている。本変形例１４では、胴体部１５１の先端で、略三角形状の頂点周辺で内壁面を接着し、この胴体部１５１の先端を底部１５４とした。また、本変形例では厚肉部が設けられていない。ここで、底部１５４の接着は、電線Ｗを圧入することにより、底部１５４を芯線部Ｗ２が貫通可能な程度の強さの接着であることは言うまでもない。この場合、略三角形状の頂点となる部分を保持すれば、底部１５４を容易に保持し得るため、厚肉部を設けなくとも、芯線部Ｗ２で底部１５４を容易に貫通し得る。以上では、胴体部１５１の先端で、略三角形状の頂点周辺で内壁面を接着するとしたが、接着以外にも、圧着や、密着させるだけであっても良い。
【００５９】
［変形例１５：図２３〜図２５］
変形例１５の電線絶縁保護キャップ１６０では、突出部１６２の形状に特色を持ち、上述した実施形態と比べて、突出部１６２の形状が異なるが、他の部分は同様の構成となっている。図２３には、本変形例の電線絶縁保護キャップ１６０の側面図を示されている。図２３に示す様に、本変形例も上述した実施形態と同様に、４つの突出部１６２が、胴体部１６１の内壁面上の周１６１ｒ上に間隔を開けて設けられている。また、図２４には、本変形例の電線絶縁保護キャップ１６０の胴体部１６１における軸方向断面図を示されている。
【００６０】
図２４に示されている様に、突出部１６２は、胴体部１６１における軸方向断面で視て、胴体部１６１の最も径方向内側の位置にある頂点部１６２ａと、頂点部１６２ａから胴体部１６１の先端方向（軸方向一方）に向かうにつれて胴体部１６１の径方向外側に次第に傾斜する第１の傾斜面部１６２ｂと、頂点部１６２ａから胴体部１６１の開口（軸方向他方）に向かうにつれて胴体部１６１の径方外側に次第に傾斜する第２の傾斜面部１６２ｃと、を備えている。そして、図２４に示す様に、本変形例の突出部１６２は、第１の傾斜面部１６２ｂの勾配が、第２の傾斜面部１６２ｃの勾配よりも小さい関係にある。
【００６１】
図２４に示されている様に、電線Ｗを保持するために、突出部１６２が頂点部１６２ａ周辺で押圧するのは、電線Ｗの被覆部Ｗ１であって、被覆部Ｗ１よりも径の小さい芯線部Ｗ２ではない。胴体部１６１の軸方向において、底部１６４から突出部１６２の頂点部１６２ａにかけての長さ１６２ａＬよりも、電線Ｗの先端部でむき出しになっている芯線部Ｗ２の軸方向の長さＷ２Ｌが短い場合には、電線Ｗの芯線部Ｗ２の先端を電線絶縁保護キャップ１６０の底部１６４に接触する程度に電線Ｗを電線絶縁保護キャップ１６０に挿入すれば、突出部１６２が電線Ｗの被覆部Ｗ１を押圧して保持できる。これに対して、底部１６４から突出部１６２の頂点部１６２ａにかけての長さ１６２ａＬよりも、むき出しになっている芯線部Ｗ２の軸方向の長さＷ２Ｌが長い場合には、電線Ｗの芯線部Ｗ２の先端を電線絶縁保護キャップ１６０の底部１６４に接触する程度に挿入しても突出部１６２が被覆部Ｗ１を押圧し得ないため、突出部１６２は電線Ｗを保持し得ない。
【００６２】
従って、図２４に示されている様に、突出部１６２が電線Ｗの被覆部Ｗ１を保持するために、電線Ｗの先端でむき出しになっている芯線部Ｗ２の長さＷ２Ｌが、胴体部１６１の軸方向において、底部１６４から突出部１６２の頂点部１６２ａにかけての長さ１６２ａＬよりも短い必要がある。そして、胴体部１６１の軸方向について、突出部１６２の頂点部１６２ａの位置が胴体部１６１の開口側（他方向側）にあるほど、底部１６４から突出部１６２の頂点部１６２ａにかけての長さ１６２ａＬが長くなり、電線Ｗの先端部でむき出しになっている芯線部Ｗ２の軸方向の長さＷ２Ｌがより長い電線Ｗに対しても突出部１６２が保持しうる。
【００６３】
ここで、図２４に示されている様に、頂点部１６２ａから底部１６４側（軸方向一方側）の第１の傾斜面部１６２ｂの勾配は、開口側（軸方向他方側）の第２の傾斜面部１６２ｃの勾配よりも小さい。従って、胴体部１６１の軸方向において、底部１６４側（軸方向一方側）の第１の傾斜面部１６２ｂの長さは、開口側（軸方向他方側）の第２の傾斜面部１６２ｃの長さよりも長いため、頂点部１６２ａの位置は、胴体部１６１の開口側（軸方向他方側）に位置することができる。このため、底部１６４から突出部１６２の頂点部１６２ａにかけての長さ１６２ａＬを長く確保でき、電線Ｗの先端でむき出しになっている芯線部Ｗ２の軸方向の長さＷ２Ｌが比較的長い電線Ｗに対しても突出部１６２が被覆部Ｗ１を押圧して保持し得る。従って、電線絶縁保護キャップは、電線Ｗの先端でむき出しになっている芯線部Ｗ２の軸方向の長さＷ２Ｌが比較的長い電線Ｗに対しても装着でき、利便性がより一層高い。
【００６４】
また、突出部１６２は、電線絶縁保護キャップに収納された電線Ｗの被覆部Ｗ１を押圧することで電線Ｗを保持する。図２５には、電線Ｗの被覆部Ｗ１を押圧している突出部１６２周辺を拡大した、胴体部１６１の軸方向の断面図を示した。図２５に示されるように、突出部１６２の最も径方向内側の位置にある頂点部１６２ａ周辺では、電線Ｗの被覆部Ｗ１を押圧する。そして、第１の傾斜面部１６２ｂの勾配は、第２の傾斜面部１６２ｃの勾配よりも小さいため、第１の傾斜面部１６２ｂで被覆部Ｗ１に接触する部分１６２ｂｃの面積は、第２の傾斜面部１６２ｃで被覆部Ｗ１に接触する部分１６２ｃｃの面積よりも大きい。換言すれば、第１の傾斜面部１６２ｂの勾配を小さく設定したことで、第１の傾斜面部１６２ｂで被覆部Ｗ１に接触する部分１６２ｂｃの面積をより一層大きくし得、その結果、突出部１６２と被覆部Ｗ１との摩擦をより一層大きくし得る。このため、電線絶縁保護キャップが電線Ｗから脱落することをより一層抑止し得る。なお、図２５には、一例として突起１６２の頂点部１６２ａ周辺が凹んで電線Ｗを保持する態様が示されているが、これに限らず、被覆部Ｗ１が凹んで電線Ｗを保持する態様であってもよいし、突起１６２の頂点部１６２ａ周辺および被覆部Ｗ１が共に凹んで電線Ｗを保持する態様であってもよい。
【００６５】
以上、本発明の実施形態について説明したが、本発明の電線絶縁保護キャップは、上述した実施形態や変形例に限定されず、その他各種の形態で実施することができる。例えば、電線絶縁保護キャップは、電線の被覆部の一部をはがした先端の芯線部を絶縁保護するものとした。これに限らず本発明の電線絶縁保護キャップは、電線の先端部分で被覆部がはがされていない電線を絶縁保護する電線絶縁保護キャップであってもよい。この場合、上述した実施形態と同様、先端部分で被覆部がはがされていない電線に電線絶縁保護キャップが取り付けられる。また、胴体部の断面形状は、適宜変更でき、例えば先端側と後端側とで変わるものでもよい。また、胴体部と底部とは材料が異なっても良い。その場合、底部の厚みは、胴体部壁面の厚みよりも薄くなくともよい。さらに、上述した実施形態や変形例で、角をもつ部分は、角を丸めた形状にすることもできる。
【符号の説明】
【００６６】
１０、２０、３０、４０、５０、６０、７０、８０、９０、１００、１１０、１２０、１３０、１４０、１５０、１６０  電線絶縁保護キャップ
１１、２１、３１、４１、５１、６１、７１、８１、９１、１０１、１１１、１２１、１３１、１４１、１５１、１６１  胴体部
１２、２２、３２、４２、５２、６２、７２、８２、９２、１０２、１１２、１２２、１３２、１６２  突出部
１３、２３、３３、４３、５３、６３、７３、８３、９３、１０３、１１３、１２３、１３３、１４３、１６３  厚肉部
１４、２４、３４、４４、５４、６４、７４、８４、９４、１０４、１１４、１２４、１３４、１４４、１５４、１６４  底部
１６２ａ  頂点部
１６２ｂ  第１の傾斜面部
１６２ｃ  第２の傾斜面部
Ｗ    電線
Ｗ１  被覆部
Ｗ２  芯線部
Ａ    コネクタ
【図１】
2018183030.tif 000003
【図２】
2018183030.tif 000004
【図３】
2018183030.tif 000005
【図４】
2018183030.tif 000006
【図５】
2018183030.tif 000007
【図６】
2018183030.tif 000008
【図７】
2018183030.tif 000009
【図８】
2018183030.tif 000010
【図９】
2018183030.tif 000011
【図１０】
2018183030.tif 000012
【図１１】
2018183030.tif 000013
【図１２】
2018183030.tif 000014
【図１３】
2018183030.tif 000015
【図１４】
2018183030.tif 000016
【図１５】
2018183030.tif 000017
【図１６】
2018183030.tif 000018
【図１７】
2018183030.tif 000019
【図１８】
2018183030.tif 000020
【図１９】
2018183030.tif 000021
【図２０】
2018183030.tif 000022
【図２１】
2018183030.tif 000023
【図２２】
2018183030.tif 000024
【図２３】
2018183030.tif 000025
【図２４】
2018183030.tif 000026
【図２５】
2018183030.tif 000027